【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
方法であって、前記方法は、
取得された磁気共鳴（ＭＲ）試料データが複数の試料特性に関連付けられるように、複数のＭＲ取得パラメータを変動させることによって、前記ＭＲ試料データの選択された組を取得することと、
前記取得されたＭＲ試料データに基づいて、前記複数の試料特性に関連付けられた周辺分布を決定することであって、前記周辺分布は、前記ＭＲ取得パラメータの選択された組み合わせに依存し、前記周辺分布は、多次元スペクトルを再構成するためのソフトまたはハード制約として使用される、ことと
を含む、方法。
【請求項２】
前記磁気共鳴（ＭＲ）試料データの選択された組は、前記取得されたＭＲ試料データが第１の試料特性および第２の試料特性に関連付けられるように、少なくとも第１のＭＲ取得パラメータおよび第２のＭＲ取得パラメータを第１および第２の範囲にわたってそれぞれ変動させることによって取得され、
前記周辺分布を決定することは、前記第１および第２の試料特性に関連付けられた第１の周辺分布および第２の周辺分布を決定することを含み、前記第１および第２の周辺分布は、前記第１および第２のＭＲ取得パラメータの選択された組み合わせに依存し、
前記第１の周辺分布および前記第２の周辺分布は、前記ソフトまたはハード制約として使用され、前記多次元スペクトルは、２次元スペクトルである、請求項１に記載の方法。
【請求項３】
前記第１の周辺分布および前記第２の周辺分布は、それぞれ、前記第１のＭＲ取得パラメータおよび前記第２のＭＲ取得パラメータに関連付けられた１次元周辺分布である、請求項２に記載の方法。
【請求項４】
前記第１のＭＲ取得パラメータおよび前記第２のＭＲ取得パラメータの両方に関連付けられた２次元試料データ組を取得することをさらに含み、前記２次元スペクトルは、前記２次元データ組を使用して再構成される、請求項２または３に記載の方法。
【請求項５】
前記第１の試料特性は、拡散率（Ｄ）であり、前記第２の試料特性は、スピン格子緩和時間（Ｔ１）である、請求項２−４のいずれかに記載の方法。
【請求項６】
前記第１のＭＲ取得パラメータは、ｂ値であり、前記第２のＭＲ取得パラメータは、反転時間τである、請求項２−５のいずれかに記載の方法。
【請求項７】
前記第１および第２の試料特性は、拡散率（Ｄ）、スピン格子緩和時間（Ｔ１）、スピンスピン緩和時間（Ｔ２）、またはそれらの組み合わせを備えている、請求項２−６のいずれかに記載の方法。
【請求項８】
前記第１および第２の１次元周辺分布は、ソフト制約として使用される、請求項２−７のいずれかに記載の方法。
【請求項９】
前記第１および第２の１次元周辺分布は、ハード制約として使用される、請求項２−７のいずれかに記載の方法。
【請求項１０】
前記第１のＭＲ取得パラメータおよび前記第２のＭＲ取得パラメータは、独立している、請求項２−９のいずれかに記載の方法。
【請求項１１】
前記第１および第２の周辺分布は、
【化１】
2019529871.tif 000001
正則化を使用して決定される、請求項２−１０のいずれかに記載の方法。
【請求項１２】
前記第１および第２の周辺分布を決定するために取得されるべき前記ＭＲデータの組を選択することをさらに含む、請求項２−１０のいずれかに記載の方法。
【請求項１３】
前記ＭＲ試料データの選択された組は、ＭＲデータの第１の組であり、前記方法は、
ＭＲデータの選択された第２の組を取得することと、
前記ＭＲデータの第１の選択された組および前記ＭＲデータの第２の選択された組に基づいて、前記第１および第２の周辺分布を決定することと
をさらに含む、請求項２−１２のいずれかに記載の方法。
【請求項１４】
前記ＭＲ試料データは、磁気共鳴映像（ＭＲＩ）データである、請求項２−１３のいずれかに記載の方法。
【請求項１５】
前記ＭＲ試料データは、磁気核磁気共鳴（ＮＭＲ）データである、請求項２−１３のいずれかに記載の方法。
【請求項１６】
前記ＭＲ試料データは、非生物学的試料から得られる、請求項２−１５のいずれかに記載の方法。
【請求項１７】
前記ＭＲ試料データは、生物学的試料から得られる、請求項２−１５のいずれかに記載の方法。
【請求項１８】
前記ＭＲ試料データは、ヒト対象から得られる、請求項１７に記載の方法。
【請求項１９】
請求項１−１８のいずれかに記載の方法を実施するためのコンピュータ実行可能命令を備えている少なくとの１つのコンピュータ読み取り可能な媒体。
【請求項２０】
磁気共鳴（ＭＲ）システムであって、前記ＭＲシステムは、
ＭＲデータ取得システムと、
前記ＭＲデータ取得システムに結合されているＭＲデータプロセッサと
を備え、
前記ＭＲデータプロセッサは、複数の周辺分布を制約として使用して試料に関連付けられた多次元ＭＲスペクトルを再構成するように動作可能である、ＭＲシステム。
【請求項２１】
前記多次元ＭＲスペクトルは、２次元ＭＲスペクトルであり、前記ＭＲデータプロセッサは、第１および第２の周辺分布を制約として使用して前記試料に関連付けられた２次元ＭＲスペクトルを再構成するように動作可能である、請求項２０に記載のＭＲシステム。
【請求項２２】
前記ＭＲデータ取得システムは、第１および第２のＭＲ取得パラメータに関連付けられた印加されたＭＲ信号に基づいてＭＲデータを取得するように動作可能である、請求項２１に記載のＭＲシステム。
【請求項２３】
前記第１および第２のＭＲ取得パラメータは、第１の試料特性および第２の試料特性に関連付けられたＭＲ信号変動を生じさせるように動作可能である、請求項２１または請求項２２に記載のＭＲシステム。
【請求項２４】
前記ＭＲデータ取得システムは、少なくとも静磁場を生じさせるように据え付けられた磁石と試料スピン回転を誘発するように動作可能である高周波パルス発生器とを含む、請求項２１−２３のいずれかに記載のＭＲシステム。
【請求項２５】
前記第１の試料特性は、拡散率（Ｄ）であり、前記第２の試料特性は、スピン格子緩和時間（Ｔ１）である、請求項２１−２４のいずれかに記載のＭＲシステム。
【請求項２６】
前記第１のＭＲ取得パラメータは、ｂ値であり、前記第２のＭＲ取得パラメータは、反転時間（τ）である、請求項２１−２５のいずれかに記載のＭＲシステム。
【請求項２７】
前記第１および第２の試料特性は、拡散率（Ｄ）、スピン格子緩和時間（Ｔ１）、スピンスピン緩和時間（Ｔ２）、またはそれらの組み合わせを備えている、請求項２１−２６のいずれかに記載のＭＲシステム。
【請求項２８】
前記ＭＲデータプロセッサは、
【化１】
2019529871.tif 000002
正則化を使用して前記第１および第２の周辺分布を決定するように動作可能である、請求項２１−２７のいずれかに記載のＭＲシステム。
【請求項２９】
前記ＭＲデータ取得システムは、磁気共鳴映像（ＭＲＩ）システムである、請求項２０−２８のいずれかに記載の磁気共鳴（ＭＲ）システム。
【請求項３０】
前記ＭＲデータ取得システムは、核磁気共鳴（ＮＭＲ）システムである、請求項２０−２８のいずれかに記載の磁気共鳴（ＭＲ）システム。
【請求項３１】
試料は、生物学的試料である、請求項２０−３０のいずれかに記載の磁気共鳴（ＭＲ）システム。
【請求項３２】
試料は、非生物学的試料である、請求項２０−３０のいずれかに記載の磁気共鳴（ＭＲ）システム。
【手続補正２】
【補正対象書類名】明細書
【補正対象項目名】００１０
【補正方法】変更
【補正の内容】
【００１０】
本開示技術の前述および他の特徴ならびに利点は、添付図面を参照して述べる以下の詳細説明から明白となるであろう。
本願明細書は、例えば、以下の項目も提供する。
（項目１）
方法であって、前記方法は、
取得された磁気共鳴（ＭＲ）試料データが第１の試料特性および第２の試料特性に関連付けられるように、少なくとも第１のＭＲ取得パラメータおよび第２のＭＲ取得パラメータを第１および第２の範囲にわたってそれぞれ変動させることによって、前記ＭＲ試料データの選択された組を取得することと、
前記取得されたＭＲ試料データに基づいて、前記第１および第２の試料特性に関連付けられた第１の周辺分布および第２の周辺分布を決定することであって、前記第１および第２の周辺分布は、前記第１および第２のＭＲ取得パラメータの選択された組み合わせに依存する、ことと、
前記第１および第２の周辺分布を制約として使用して、前記試料に関連付けられた２次元スペクトルを再構成することと
を含む、方法。
（項目２）
前記第１の周辺分布および前記第２の周辺分布は、それぞれ、前記第１のＭＲ取得パラメータおよび前記第２のＭＲ取得パラメータに関連付けられた１次元周辺分布である、項目１に記載の方法。
（項目３）
前記第１のＭＲ取得パラメータおよび前記第２のＭＲ取得パラメータの両方に関連付けられた２次元試料データ組を取得することをさらに含み、前記２次元スペクトルは、前記２次元データ組を使用して再構成される、項目１または２に記載の方法。
（項目４）
前記第１の試料特性は、拡散率（Ｄ）であり、前記第２の試料特性は、スピン格子緩和時間（Ｔ１）である、項目１−３のいずれかに記載の方法。
（項目５）
前記第１のＭＲ取得パラメータは、ｂ値であり、前記第２のＭＲ取得パラメータは、反転時間τである、項目１−４のいずれかに記載の方法。
（項目６）
前記第１および第２の試料特性は、拡散率（Ｄ）、スピン格子緩和時間（Ｔ１）、スピンスピン緩和時間（Ｔ２）、またはそれらの組み合わせを備えている、項目１−５のいずれかに記載の方法。
（項目７）
前記第１および第２の１次元周辺分布は、ソフト制約として使用される、項目１−６のいずれかに記載の方法。
（項目８）
前記第１および第２の１次元周辺分布は、ハード制約として使用される、項目１−６のいずれかに記載の方法。
（項目９）
前記第１のＭＲ取得パラメータおよび前記第２のＭＲ取得パラメータは、独立している、項目１−８のいずれかに記載の方法。
（項目１０）
前記第１および第２の周辺分布は、
【化１】
2019529871.tif 000003
正則化を使用して決定される、項目１−９のいずれかに記載の方法。
（項目１１）
前記第１および第２の周辺分布を決定するために取得されるべき前記ＭＲデータの組を選択することをさらに含む、項目１−１０のいずれかに記載の方法。
（項目１２）
前記ＭＲ試料データの選択された組は、ＭＲデータの第１の組であり、前記方法は、
ＭＲデータの選択された第２の組を取得することと、
前記ＭＲデータの第１の選択された組および前記ＭＲデータの第２の選択された組に基づいて、前記第１および第２の周辺分布を決定することと
をさらに含む、項目１−１１のいずれかに記載の方法。
（項目１３）
前記ＭＲ試料データは、磁気共鳴映像（ＭＲＩ）データである、項目１−１２のいずれかに記載の方法。
（項目１４）
前記ＭＲ試料データは、磁気核磁気共鳴（ＮＭＲ）データである、項目１−１２のいずれかに記載の方法。
（項目１５）
前記ＭＲ試料データは、非生物学的試料から得られる、項目１−１４のいずれかに記載の方法。
（項目１６）
前記ＭＲ試料データは、生物学的試料から得られる、項目１−１４のいずれかに記載の方法。
（項目１７）
前記ＭＲ試料データは、ヒト対象から得られる、項目１６に記載の方法。
（項目１８）
項目１−１７のいずれかに記載の方法を実施するためのコンピュータ実行可能命令を備えている少なくとの１つのコンピュータ読み取り可能な媒体。
（項目１９）
磁気共鳴（ＭＲ）システムであって、前記システムは、
ＭＲデータ取得システムと、
前記ＭＲデータ取得システムに結合されているＭＲデータプロセッサと
を備え、
前記ＭＲデータプロセッサは、第１および第２の周辺分布を制約として使用して試料に関連付けられた２次元ＭＲスペクトルを再構成するように動作可能である、システム。
（項目２０）
前記ＭＲデータ取得システムは、第１および第２のＭＲ取得パラメータに関連付けられた印加されたＭＲ信号に基づいてＭＲデータを取得するように動作可能である、項目１９に記載のＭＲシステム。
（項目２１）
前記第１および第２のＭＲ取得パラメータは、第１の試料特性および第２の試料特性に関連付けられたＭＲ信号変動を生じさせるように動作可能である、項目１９または項目２０に記載のＭＲシステム。
（項目２２）
前記ＭＲデータ取得システムは、少なくとも静磁場を生じさせるように据え付けられた磁石と試料スピン回転を誘発するように動作可能である高周波パルス発生器とを含む、項目１９−２１のいずれかに記載のＭＲシステム。
（項目２３）
前記第１の試料特性は、拡散率（Ｄ）であり、前記第２の試料特性は、スピン格子緩和時間（Ｔ１）である、項目１９−２２のいずれかに記載のＭＲシステム。
（項目２４）
前記第１のＭＲ取得パラメータは、ｂ値であり、前記第２のＭＲ取得パラメータは、反転時間（τ）である、項目１９−２３のいずれかに記載のＭＲシステム。
（項目２５）
前記第１および第２の試料特性は、拡散率（Ｄ）、スピン格子緩和時間（Ｔ１）、スピンスピン緩和時間（Ｔ２）、またはそれらの組み合わせを備えている、項目１９−２４のいずれかに記載のＭＲシステム。
（項目２６）
前記ＭＲデータプロセッサは、
【化１】
2019529871.tif 000004
正則化を使用して前記第１および第２の周辺分布を決定するように動作可能である、項目１９−２５のいずれかに記載のＭＲシステム。
（項目２７）
前記ＭＲデータ取得システムは、磁気共鳴映像（ＭＲＩ）システムである、項目１９−２６のいずれかに記載の磁気共鳴（ＭＲ）システム。
（項目２８）
前記ＭＲデータ取得システムは、核磁気共鳴（ＮＭＲ）システムである、項目１９−２６のいずれかに記載の磁気共鳴（ＭＲ）システム。
（項目２９）
試料は、生物学的である、項目１９−２８のいずれかに記載の磁気共鳴（ＭＲ）システム。
（項目３０）
試料は、生物学的試料である、項目１９−２８のいずれかに記載の磁気共鳴（ＭＲ）システム。
（項目３１）
試料は、非生物学的試料である、項目１９−２８のいずれかに記載の磁気共鳴（ＭＲ）システム。